(57)【要約】      （修正有）【課題】点光源からの光を均一に分布させるための導光フィルムの提供。【解決手段】前記導光フィルム４３が前記点光源からの前記光を受け取るための多面端を含み、前記多面端が少なくとも第１のおよび第２の組の傾斜面４２１a、ｂをその間の平坦面４２３と共に含む導光フィルム４３であり、各組の傾斜面は第１のおよび第２の傾斜をそれぞれさらに含み、前記第１の傾斜が８５度以下であり、かつ前記第２の傾斜が少なくとも５度であり、前記第１の傾斜が前記第２の傾斜より少なくとも５度大きい。【選択図】図６Ｂ
2013089597.tif 000002
【特許請求の範囲】
【請求項１】
点光源からの光を均一に分布させるための導光フィルムであって、
前記導光フィルムが前記点光源からの前記光を受け取るための多面端を含み、前記多面端が少なくとも第１のおよび第２の組の傾斜面をその間の平坦面と共に含み、各組の傾斜面が第１のおよび第２の傾斜をそれぞれさらに含み、前記第１の傾斜が８５度以下であり、かつ前記第２の傾斜が少なくとも５度であり、前記第１の傾斜が前記第２の傾斜より少なくとも５度大きい、
導光フィルム。
【請求項２】
前記多面端の谷が半径を含む請求項１に記載の導光フィルム。
【請求項３】
前記多面端の表面が光散乱構成要素を含む請求項１に記載の導光フィルム。
【請求項４】
第３の組の傾斜面をその間の前記平坦面と共にさらに含む、請求項１に記載の導光フィルム。
【請求項５】
第４の組の傾斜面をその間の前記平坦面と共にさらに含む、請求項４に記載の導光フィルム。
【請求項６】
点光源からの光を均一に分布させるための導光フィルムであって、
前記導光フィルムが前記点光源からの前記光を受け取るための多面端を含み、前記多面端が少なくとも第１のおよび第２の組の傾斜面をその間の平坦面と共に含み、各組の傾斜面が前記多面端の一方の側の第１の面面積と前記第１の面面積と反対側の第２の面面積とをさらに有し、前記第１のおよび第２の組の傾斜面の前記第１の面面積の傾斜面比率Ａ１／Ａ２、並びに前記第１のおよび第２の組の傾斜面の前記第２の面面積の傾斜面比率Ａ３／Ａ４が０．１〜９であり、並びに前記平坦面が０．３未満の面積Ａ５および全フィーチャ表面積比率を有する、
導光フィルム。
【請求項７】
前記多面端の谷が半径を含む請求項６に記載の導光フィルム。
【請求項８】
前記多面端の表面が光散乱構成要素を含む請求項６に記載の導光フィルム。
【請求項９】
第３の組の傾斜面をその間の前記平坦面と共にさらに含む、請求項６に記載の導光フィルム。
【請求項１０】
第４の組の傾斜面をその間の前記平坦面と共にさらに含む、請求項９に記載の導光フィルム。
【請求項１１】
点光源からの光を均一に分布させるための導光フィルムであって、
前記導光フィルムが前記点光源からの前記光を受け取るための多面端を含み、前記多面端が少なくとも第１のおよび第２の組の傾斜面をその間の平坦面と共に含み、各組の傾斜面が第１のおよび第２の傾斜をそれぞれ含み、各組の傾斜面が前記多面端の一方の側の第１の面面積および前記第１の面面積と反対側の第２の面面積とをさらに有し、前記第１のおよび第２の組の傾斜面の第１の面面積の傾斜面比率Ａ１／Ａ２、並びに前記第１のおよび第２の組の傾斜面の前記第２の面面積の傾斜面比率Ａ３／Ａ４が０．１〜９である、
導光フィルム。
【発明の詳細な説明】
【技術分野】
【０００１】
本発明は、発光ダイオード（ＬＥＤ）バックライトユニットの導光フィルムに関し、より具体的には、光がある入射角によって導光フィルムを通って伝えられうるその入射角を大きくすることにより、点光源からの光を均一に分布させる導光フィルムの入射面に彫り込まれた複数の多面フィーチャを有するＬＥＤバックライトユニットの導光フィルムに関する。
【背景技術】
【０００２】
図１に示されるようなＴＦＴ−ＬＣＤにおいて認められる典型的な平面バックライトは主として、導光板１１、反射面１２、複数の拡散フィルム１３およびプリズムシート１４、並びに光源１５を含む。この平面光源１の最も重要な部品の一つとしての導光板１１は光源１５から放射された光を受け取り、伝達し、および方向変換（ｒｅｄｉｒｅｃｔ）する。
【０００３】
図２に示されているように、導光板１１は通常、矩形形状のものであり、光放射面１１１、光放射面１１１と反対側の反射面１１２、および少なくとも側面に光入射面１１３を有する。点光源１５から放射された光は光入射面１１３を通って導光板１１に入り、その一部分は光放射面１１１を通って導光板１１を直接出て、かつ他の部分は反射面１１２に当たる。よって、この反射面１１２はこの表面上の多くの光反射構造１１２１を有するように構成され、かつこの反射構造１１２１は、それらが光源１５からより離れて位置するにつれて光放射面１１１に向けてできるだけ多く光を反射するように、次第により高くなる分布密度またはより大きくなる表面積を有する。
【０００４】
通常、冷陰極蛍光ランプ（ＣＣＦＬ）または発光ダイオード（ＬＥＤ）が平面バックライト１のための光源１１として使用される。ＣＣＦＬの適用は、それが線光源なので、より単純である。一方、ＬＥＤの適用は、それが点光源なので、より複雑である。
【０００５】
図３Ａに示されるように、端部鋸歯状フィーチャ（ｅｄｇｅ  ｓｅｒｒａｔｉｏｎ  ｆｅａｔｕｒｅ）を有しない光入力面２２を通って導光フィルム２３に光が入る場合には、光伝播角はｓｉｎ−１（１／ｎ）（ｎは屈折率である）に等しい半円錐角を有する円錐内に限定される。複数の点光源２１がまとまるのに充分近くない場合には、これはＬＥＤ２１の前の明領域２１４および導光フィルムの入力端付近でＬＥＤ間の暗領域２１５を生じさせるであろう。この現象はホットスポットとしても知られている。より多くのＬＥＤ２１を追加することで暗領域２１５を除去できるであろうが、この追加のＬＥＤ２１は材料コスト、電力消費、組み立ての複雑さ、および将来的な故障の可能性を増大させるので、これは満足できるアプローチではない。
【０００６】
図３Ｂは、点光源２１からの光線が端部鋸歯状フィーチャを有しない導光フィルム２３の光入力面２２上に入射するレイトレーシング（ｒａｙ  ｔｒａｃｉｎｇ）モデルを示す。ここで、点光源２１は導光フィルム２３の入力端２２から２０マイクロメートル離れている。この光線の広がる角度は１６０度である。この導光フィルム１３の屈折率は１．５９である。このレイトレーシングは点光源２１からの光線が導光フィルム２３に入った後で円錐角内に限定されることを明らかに示す。
【０００７】
図３Ｃは、光入力端に端部鋸歯状フィーチャを有しない導光フィルムからのモデル化結果についての照度（ｉｌｌｕｍｉｎａｎｃｅ）出力プロファイルを示す。ここで、点光源は６．３ミリメートル（ｍｍ）のピッチで間隔を開けられているランバート（Ｌａｍｂｅｒｔｉａｎ）出力のＬＥＤである。各プロファイルが入力端から０．５ミリメートルで始まって１ミリメートル間隔（Ｙ位置）で採られたこの出力プロファイルによって示されるように、明領域および暗領域は光入力端から５．５ｍｍで依然として目に見えている。
【０００８】
図４Ａは単一傾斜プリズムから構成される鋸歯状フィーチャ２９を有する導光フィルム２３の入力端を示す。光線１４ａが光入力端の平坦面１６または鋸歯状フィーチャ２９の丸まった谷１７に当たった場合に、屈折した光線が、光入力端の平坦面１６に対して垂直な垂線を有する円錐角１５ａ内で伝播する。大きな入射角１４ｂを有するいくつかの光線は鋸歯状フィーチャ２９の傾斜面（ｆａｃｅｔ）１８に当たるであろうし、次いで、その後の屈折した光線はその傾斜面１８に対して垂直な垂線を有する大きな円錐角１５ｂに向かって伝播する。さらにより大きな入射角１４ｃを有するいくつかの光線も傾斜面１８に当たるであろうし、そこでは屈折した光線はさらにより大きな円錐角１５ｃで伝播する。次いで、より大きな角度のこれら光線は、それらが隣の傾斜面１８に当たる際に再び屈折させられるであろう。全内部反射のせいで、より大きなこれら光線は傾斜面１８によって円錐１５ｄに屈折させられる。この第二の屈折は光伝播方向を変え、かつ端部鋸歯状フィーチャの効率を有意に低下させる。ホットスポット問題を克服するために、２つの隣り合うＬＥＤからの光が交差する場合に、感知できる明領域もしくは暗領域がないように、屈折した光は大きな角度で均一に拡げられるべきである。
【０００９】
端部鋸歯状フィーチャが単一傾斜プリズムである場合には、光をより大きな角度に拡げるために、傾斜面１８は大きな傾斜角を有するべきである。しかし、この傾斜角が大きすぎる場合には、この光は図４Ａに屈折した光線１５ｄによって示されるように再び屈折させられる。単一傾斜プリズムを使用する鋸歯状フィーチャについては、平坦面１６は第二の光屈折を回避するために充分広い必要がある。しかし、より広い平坦面は端部鋸歯状フィーチャの効率を低下させるであろうが、この理由は、図３Ａが示すように、充分に大きな角度を超えてこの平坦面が入射光線を拡げないからである。
【００１０】
図４Ｂは、点光源２１からの光線が導光フィルム２３の光入力端２２上の単一傾斜鋸歯状フィーチャの谷に入射するレイトレーシングモデルを示す。図４Ｃは、点光源２１からの光線が導光フィルム２３の光入力端２２上の単一傾斜鋸歯状フィーチャの平坦面頂部に入射するレイトレーシングモデルを示す。両方のモデルにおいて、点光源２１は導光フィルム２３の光入力端２２から２０マイクロメートルである。点光源２１からの光線の拡げられる角度は１６０度である。この導光フィルム２３の材料屈折率は１．５９である。このレイトレーシングは全内部反射のせいで光線が傾斜面によって屈折させられることを明らかに示す。
【００１１】
図４Ｄは、光入力端における単一傾斜端部鋸歯状フィーチャを有する導光フィルムからのモデル化結果についての照度出力プロファイルを示す。ここで、点光源は６．３ｍｍのピッチで間隔を開けられているランバート（Ｌａｍｂｅｒｔｉａｎ）出力のＬＥＤである。各プロファイルが入力端から０．５ミリメートルで始まって１ミリメートル間隔（Ｙ位置）で採られたこの出力プロファイルによって示されるように、明領域および暗領域は光入力端から５．５ｍｍで依然として目に見える。この出力プロファイルによって、ホットスポット問題は最初に入力端から１．５ｍｍまで次第に少なくなる。Ｙ＝２．５ｍｍ付近で、逆のホットスポットが生じ、そこでは明領域が暗くなり、かつ暗領域が明るくなる。約Ｙ＝４．５ｍｍで再びホットスポットが現われる。これは全内部反射による二次光屈折によって引き起こされる。
【発明の概要】
【発明が解決しようとする課題】
【００１２】
よって、バックライトシステムの効率を犠牲にすることなく、より均一な照明の導光フィルムを提供する改良された入力端設計が必要とされる。本発明は、上記先行技術に関連する暗領域および明領域（ホットスポット）の問題を克服し、それによりバックライトシステムの効率を犠牲にすることなく、より均一な照明の導光フィルムを生じさせることを目的とする。
【課題を解決するための手段】
【００１３】
本発明は、点光源からの光を均一に分布させるための導光フィルムであって、前記導光フィルムが前記点光源からの前記光を受け取るための多面（ｍｕｌｔｉ−ｆａｃｅｔｅｄ）端を含み、前記多面端が少なくとも第１のおよび第２の組の傾斜面をその間の平坦面と共に含み、各組の傾斜面が第１のおよび第２の傾斜をそれぞれさらに含み、前記第１の傾斜が８５度以下であり、かつ前記第２の傾斜が少なくとも５度であり、前記第１の傾斜が前記第２の傾斜より少なくとも５度大きい、導光フィルムを提供する。
【００１４】
本発明は、点光源からの光を均一に分布させるための導光フィルムであって、前記導光フィルムが前記点光源からの前記光を受け取るための多面端を含み、前記多面端が少なくとも第１のおよび第２の組の傾斜面をその間の平坦面と共に含み、各組の傾斜面が前記多面端の一方の側の第１の面面積と前記第１の面面積と反対側の第２の面面積とをさらに有し、前記第１のおよび第２の組の傾斜面の前記第１の面面積の傾斜面比率Ａ１／Ａ２、並びに前記第１のおよび第２の組の傾斜面の前記第２の面面積の傾斜面比率Ａ３／Ａ４が０．１〜９であり、並びに前記平坦面が０．３未満の面積Ａ５および全フィーチャ表面積比率を有する、導光フィルムをさらに提供する。
【００１５】
本発明は、点光源からの光を均一に分布させるための導光フィルムであって、前記導光フィルムが前記点光源からの前記光を受け取るための多面端を含み、前記多面端が少なくとも第１のおよび第２の組の傾斜面をその間の平坦面と共に含み、各組の傾斜面が第１のおよび第２の傾斜をそれぞれ含み、各組の傾斜面が前記多面端の一方の側の第１の面面積および前記第１の面面積と反対側の第２の面面積とをさらに有し、前記第１のおよび第２の組の傾斜面の第１の面面積の傾斜面比率Ａ１／Ａ２、並びに前記第１のおよび第２の組の傾斜面の前記第２の面面積の傾斜面比率Ａ３／Ａ４が０．１〜９である、導光フィルムをさらに提供する。
【図面の簡単な説明】
【００１６】
【図１】図１は従来の平面光源の斜視図である。
【図２】図２は光線の軌道を示す従来の導光板の概略側面図である。
【図３Ａ】図３Ａは光入力端に端部鋸歯状フィーチャを有する導光フィルムの上面図である。
【図３Ｂ】図３Ｂは光入力端に端部鋸歯状フィーチャを有する導光フィルムのための点光源のレイトレーシングモデルである。
【図３Ｃ】図３Ｃは光入力端に端部鋸歯状フィーチャを有する導光フィルムについて異なるＹ位置での照度プロファイルのレイトレーシングモデルである。
【図４Ａ】図４Ａは光入力端に単一傾斜端部鋸歯状フィーチャを有する導光フィルムの上面図である。
【図４Ｂ】図４Ｂは点光源が谷に近い場合の光入力端に単一傾斜端部鋸歯状フィーチャを有する導光フィルムのレイトレーシングモデルである。
【図４Ｃ】図４Ｃは点光源が平坦面頂部に近い場合の光入力端に単一傾斜端部鋸歯状フィーチャを有する導光フィルムのレイトレーシングモデルである。
【図４Ｄ】図４Ｄは光入力端に単一傾斜端部鋸歯状フィーチャを有する導光フィルムについて異なるＹ位置での照度プロファイルのレイトレーシングモデルである。
【図５Ａ】図５Ａは光入力端に複数の複数傾斜フィーチャを有する導光フィルムの上面図である。
【図５Ｂ】図５Ｂは光入力端に複数の複数傾斜フィーチャを有する導光フィルムの拡大上面図である。
【図６Ａ】図６Ａは光入力端に複数の二傾斜フィーチャを有する導光フィルムの拡大上面図である。
【図６Ｂ】図６Ｂは寸法および角度を示す、光入力端に複数の二傾斜フィーチャを有する導光フィルムの拡大上面図である。
【図６Ｃ】図６Ｃは光入力端に複数の二傾斜フィーチャを有する導光フィルムの拡大斜位像である。
【図６Ｄ】図６Ｄは各面が矩形形状である、光入力端に複数の二傾斜フィーチャを有する導光フィルムの側面図である。
【図６Ｅ】図６Ｅは各面形状が変化しうる、光入力端に複数の二傾斜フィーチャを有する導光フィルムの側面図である。
【図６Ｆ】図６Ｆは、異なる面ごとの光伝播方向の変化を示す、光入力端に複数の二傾斜フィーチャを有する導光フィルムの拡大上面図である。
【図６Ｇ】図６Ｇは点光源が平坦面頂部に近い場合の、光入力端に複数の二傾斜フィーチャを有する導光フィルムのレイトレーシングモデル化である。
【図６Ｈ】図６Ｈは点光源がフィーチャ谷に近い場合の、光入力端に複数の二傾斜フィーチャを有する導光フィルムのレイトレーシングモデル化である。
【図６Ｊ】図６Ｊは光入力端に複数の二傾斜フィーチャを有する導光フィルムの照度出力のレイトレーシングモデル化である。
【図６Ｋ】図６Ｋは多面端部鋸歯状フィーチャを生じさせるミルマシンにおけるツールセットの斜位像である。
【図６Ｌ】図６Ｌは二傾斜端部鋸歯状フィーチャを生じさせるために使用される２つのカッターの斜位像である。
【図６Ｍ】図６Ｍは二傾斜端部鋸歯状フィーチャを生じさせるために使用される２つのカッターの側面図である。
【図７】図７はフィーチャ谷が丸められている光入力端に複数の二傾斜フィーチャを有する導光フィルムの上面図である。
【図８Ａ】図８Ａは面上に微小散乱構成要素を有する光入力端に複数の二傾斜フィーチャを有する導光フィルムの拡大上面図である。
【図８Ｂ】図８Ｂは面上に微小散乱構成要素を有する光入力端に複数の二傾斜フィーチャを有する導光フィルムの拡大斜位像である。
【図８Ｃ】図８Ｃは面上に微小散乱構成要素を有する光入力端に複数の二傾斜フィーチャを有する導光フィルムの拡大斜位像である。
【図９Ａ】図９Ａは異なる面ごとの寸法、傾斜角、および光伝播方向の変化を示す光入力端に複数の三傾斜フィーチャを有する導光フィルムの拡大上面図である。
【図９Ｂ】図９Ｂは三傾斜端部鋸歯状フィーチャを生じさせるために使用される３つのカッターの斜位像である。
【図９Ｃ】図９Ｃは三傾斜端部鋸歯状フィーチャを生じさせるために使用される３つのカッターの側面図である。
【図１０】図１０は異なる面ごとの寸法、傾斜角、および光伝播方向の変化を示す光入力端に複数の四傾斜フィーチャを有する導光フィルムの拡大上面図である。
【発明を実施するための形態】
【００１７】
ここで図面を参照すると、図５Ａは本発明の複数の多面フィーチャ３２を有する光入力端を有する導光フィルム３３の発明を示す。図５Ｂはその発明の拡大上面図を示す。点光源３１からの光は多面フィーチャ３２に入射する。それぞれの光源３１は少なくとも１つの多面フィーチャを覆う。
【００１８】
各多面フィーチャはフィーチャ頂部およびフィーチャ谷を含む。フィーチャ頂部は１つの平坦面を含む。さらに、各多面フィーチャはフィーチャ頂部と隣のフィーチャ谷との間に少なくとも２組の傾斜面を含む。傾斜面の各組は、フィーチャ頂部の対辺で位置する２つの傾斜面を含む。各平坦面および傾斜面は平坦表面積（ｐｌａｎａｒ  ｓｕｒｆａｃｅ  ａｒｅａ）を有する。各傾斜面の傾斜角はフィーチャ谷からフィーチャ頂部に進むにつれて次第に小さくなる。フィーチャ谷に最も近い傾斜面の組はフィーチャ頂部に最も近い傾斜面の組よりも大きな傾斜角を有する。傾斜面の各組の中では、対応する傾斜面の傾斜角は同じであって良いしまたは異なっていてもよい。光伝播方向が特定の角度に偏らないように、傾斜面の各組の中の対応する傾斜面の傾斜角は同じであるのが好ましい。傾斜面の各組の中では、対応する傾斜面の表面積は同じであっても良いしまたは異なっていてもよい。光伝播方向が特定の角度に偏らないように、傾斜面の各組の中での対応する傾斜面の表面積は同じであるのが好ましい。しかし、製造の際に、製造公差のせいで傾斜面の各組の中での対応する傾斜面の表面積が異なることとなり得る。多面フィーチャの合計面数は２＊ｍ＋１であり、ｍは２、３、４、５・・・に等しい整数である。複数の面が異なる配向角を有するので、それらは光を異なる角度に方向変換することができる。各面の傾斜角および面表面積が適切に設計される場合には、導光フィルムにおいて目に見える明領域および暗領域がないように光が広角スパンに均一に方向変換されうる。
【００１９】
図６Ａは、導光フィルムが光入力端に複数の多面フィーチャを含む本発明の第１の実施形態を示す。この多面フィーチャは異なる２組の傾斜面（二傾斜；ｔｗｏ−ｓｌｏｐｅ）からなる。ＬＥＤ光源３１からの光線は導光フィルム４３の二傾斜フィーチャ４２に入射する。この二傾斜フィーチャは第１の組の傾斜面４２１ａおよび４２１ｂ、第２の組の傾斜面４２２ａおよび４２２ｂ、並びに平坦面４２３を含む。各二傾斜フィーチャの合計面数は５である（２＊２＋１＝５）。
【００２０】
ここで図６Ｂおよび６Ｃを参照すると、寸法および傾斜角を含む二傾斜端部フィーチャの上面図が図６Ｂに示される。図６Ｃにおいては、この二傾斜端部フィーチャおよび各傾斜面の面面積の直交像がそれぞれ示される。図６Ｂおよび６Ｃを参照すると、傾斜面４２１ａは面幅Ｗ１および面面積Ａ１を有する。傾斜面４２２ａは面幅Ｗ２および面面積Ａ２を有する。傾斜面４２１ｂは面幅Ｗ３および面面積Ａ３を有する。傾斜面４２２ｂは面幅Ｗ４および面面積Ａ４を有する。平坦面は面幅Ｆおよび面面積Ａ５を有する。この二傾斜フィーチャはピッチＰおよび高さＨを有する。第１の組の傾斜面４２１ａおよび４２１ｂは第１の傾斜角アルファ（α）を有する。第２の組の傾斜面４２２ａおよび４２２ｂは第２の傾斜角オメガ（ω）を有する。このアルファ角は８５度以下である（アルファ≦８５度）。このオメガ角は少なくとも５度である（オメガ≧５度）。このアルファ角はオメガ角よりも少なくとも５度大きい（アルファ−オメガ≧５度）。この二傾斜端部フィーチャの各面における傾斜面面積比率Ａ１／Ａ２およびＡ３／Ａ４は０．１〜９の範囲内にあり（０．１≦Ａ１／Ａ２≦９、０．１≦Ａ３／Ａ４≦９）、平坦面面積Ａ５および合計フィーチャ表面積は０．３未満の比率を有する（Ａ５／（Ａ１＋Ａ２＋Ａ３＋Ａ４＋Ａ５）≦０．３）。
【００２１】
各面は図６Ｄに示されるように矩形の形状であることができる。製造の際に、導光フィルムの柔らかさのせいで、この形状が台形形状または三角形形状に変化する場合がある。図６Ｅに示されるように、面形状が台形、三角形または矩形の形状であっても良い。この多面フィーチャの設計における重要な特徴は、入射光が導光フィルムの内側で大角度スパンに分布させられうるように、各面の傾斜角および各面の表面積を制御することである。
【００２２】
図６Ｆに示されるように、アルファ角はオメガ角よりも大きい。よって、フィーチャ谷に最も近い第１の組の傾斜面４２１ａおよび４２１ｂは図４Ｆにおける円錐４３１ａおよび４３１ｂによって示されるようにより大きな角度に光を方向変換するであろう。フィーチャ頂部に最も近い第２の組の傾斜面４２２ａおよび４２２ｂは図６Ｆにおける円錐４３２ａおよび４３２ｂによって示されるようにより小さな角度に光を方向変換するであろう。平坦面は典型的には、図６Ｆにおける円錐４３３によって示されるように光を前方に向ける。５つの面の全ての傾斜角および面表面積が適切に設計される場合には、この二傾斜フィーチャの５つの面の全ての組み合わせが、導光フィルムにホットスポットが目に見えないように光を均一に広角スパンに方向変換することができる。
【００２３】
図６Ｇは、点光源２１からの光線が、導光フィルム４３の光入力端における二傾斜端部フィーチャの平坦面頂部４２に入射するレイトレーシングモデルを示す。図６Ｈは、点光源２１からの光線が、導光フィルム４３の光入力端における二傾斜端部フィーチャの谷４４に入射するレイトレーシングモデルを示す。両方のモデルにおいて、点光源２１は導光フィルム４３の光入力端から２０マイクロメートルにある。点光源２１からの光線の拡げられる角度は１６０度である。導光フィルム４３の材料屈折率は１．５９である。このモデル化は光線が、隣の傾斜面によって屈折させられることなく、非常に大きな角度に拡げられることを示す。
【００２４】
図６Ｊは光入力端に二傾斜端部フィーチャを有する導光フィルムからのモデル化結果についての照度出力プロファイルを示す。ここで点光源はランバート出力のＬＥＤであり、６．３ｍｍのピッチで間隔を開けられている。出力プロファイルによって示されるように、各プロファイルは入力端から０．５ミリメートルで始まって１ミリメートル間隔（Ｙ位置）で採られ、Ｙ＝２．５ｍｍ付近で明領域および暗領域、またはホットスポットが低減される。
【００２５】
この二傾斜端部鋸歯状フィーチャを生じさせるための１つの試みは、２組の傾斜面を生じさせる２つの異なるカッターと平坦面を生じさせるフライカッターとを使用することである。図６Ｋは平坦面を生じさせるためのフライカッター４５２、および２組の傾斜面を切り出すためのツーカッターツールホルダー４５３を含むツールセット４５１を示す。複数傾斜端部鋸歯状フィーチャを切り出すために、ツールセット４５１は特定の速度で回転する。同時に、導光フィルムスタック４６０はこのツールセット４５１の下を所定の速度で移動する。図６Ｌは第１のカッター４５５および第２のカッター４５６を有するツールホルダー４５３を示す。この第１のカッター４５５は第２のカッター４５６とは異なる刃先角を有する。図６Ｍはこの２つのカッターの側面図を示す。
【００２６】
本発明の別の実施形態は複数の多面端部フィーチャを含み、このフィーチャは２つの傾斜を有しかつこのフィーチャの谷は半径を含む。図７は谷が半径を含むフィーチャを示す。この半径の谷は光屈折力を低下させそして光が大きな角度で伝播できなくなるので、この半径が小さいことが好ましい。
【００２７】
図８Ａ、８Ｂおよび８Ｃは、光散乱構成要素５２６をさらに含む二傾斜端部鋸歯状フィーチャを示す。これら光散乱構成要素は微細溝、スクラッチ溝、粒子、凸状微小バンプ、または粗化面でありうる。
【００２８】
図９Ａは、導光フィルムが光入力端に複数の三傾斜多面フィーチャ７２を含む本発明の別の実施形態を示す。各三傾斜端部鋸歯状フィーチャ７２は第１の組の第１の傾斜角アルファ（α）を有する傾斜面７２１ａおよび７２１ｂ、第２の組の第２の傾斜角ベータ（β）を有する傾斜面７２２ａおよび７２２ｂ、第３の組の第３の傾斜角オメガ（ω）を有する傾斜面７２３ａおよび７２３ｂ、並びに平坦面７２４を含む。合計面数は７である（２＊３＋１＝７）。フィーチャ谷に最も近い傾斜面はフィーチャ頂部に最も近い傾斜面よりも大きな傾斜角を有し、すなわち、アルファ＞ベータ＞オメガである。このアルファ角は８５度以下である（アルファ≦８５度）。このオメガ角は少なくとも５度である（オメガ≧５度）。
【００２９】
図９Ａに示されるように、第１の組の傾斜面は入射光線を円錐７３１ａおよび７３１ｂに方向変換し、第２の組の傾斜面は入射光線を円錐７３２ａおよび７３２ｂに方向変換し、第３の組の傾斜面は入射光線を円錐７３３ａおよび７３３ｂに方向変換し、並びに平坦面は入射光線を円錐７３４に方向変換する。全ての面の傾斜角および面表面積が適切に設計される場合には、ホットスポット問題が解決されうるように、入射光が大角度スパンに均一に方向変換されうる。
【００３０】
図９Ｂは３組の傾斜面を生じさせるために使用されうるカッターを示す。第１のカッター７５１、第２のカッター７５２、および第３のカッター７５３がツールホルダー７５４上に取り付けられる。ここで、第１のカッター７５１、第２のカッター７５２、および第３のカッター７５３は全て異なる刃先角を有する。図９Ｃはこれら３つのカッターの側面図を示す。
【００３１】
図１０は導光フィルムが光入射端に複数の四傾斜多面フィーチャを含む本発明の別の実施形態を示す。各四傾斜フィーチャ８２は、第１の組の第１の傾斜角アルファ（α）を有する傾斜面８２１ａおよび８２１ｂ、第２の組の第２の傾斜角ベータ（β）を有する傾斜面８２２ａおよび８２２ｂ、第３の組の第３の傾斜角ガンマ（γ）を有する傾斜面８２３ａおよび８２３ｂ、第４の組の第４の傾斜角オメガ（ω）を有する傾斜面８２４ａおよび８２４ｂ、並びに平坦面８２５を含む。この合計面数は９である（２＊４＋１＝９）。フィーチャ谷に最も近い傾斜面はフィーチャ頂部に最も近い傾斜面よりも大きな傾斜角を有し、すなわち、アルファ＞ベータ＞ガンマ＞オメガである。このアルファ角は８５度以下である（アルファ≦８５度）。このオメガ角は少なくとも５度である（オメガ≧５度）。
【００３２】
図１０に示されるように、第１の組の傾斜面は入射光線を円錐８３１ａおよび８３１ｂに方向変換し、第２の組の傾斜面は入射光線を円錐８３２ａおよび８３２ｂに方向変換し、第３の組の傾斜面は入射光線を円錐８３３ａおよび８３３ｂに方向変換し、第４の組の傾斜面は入射光線を円錐８３４ａおよび８３４ｂに方向変換し、並びに平坦面は入射光線を円錐８３５に方向変換する。全ての面の傾斜角および面表面積が適切に設計される場合には、ホットスポット問題が解決されうるように、入射光が大角度スパンに均一に方向変換されうる。
【符号の説明】
【００３３】
１  平面光源
１１  導光板
１２  反射面
１３  拡散膜
１４  プリズムシート
１５  光源
１１１  光放射面
１１２  反射面
１１２１  反射構造
１１３  光入射面
２１  点光源
２１４  明領域
２１５  暗領域
２２  光入力面
２３  導光フィルム
２９  鋸歯状フィーチャ
１４ａ  光線
１４ｂ  大きな入射角
１４ｃ  さらにより大きな入射角
１５ａ  円錐角
１５ｂ  大きな円錐角
１５ｃ  さらにより大きな円錐角
１５ｄ  円錐
１６  平坦面
１７  谷
１８  傾斜面
３１  点光源
３２  多面フィーチャ
３３  導光フィルム
４２  二傾斜フィーチャ
４３  導光フィルム
４２１ａ、４２１ｂ、４２２ａ、４２２ｂ  傾斜面
４２３  平坦面
４３１ａ、４３１ｂ、４３３  円錐
４４  谷
４５１  ツールセット
４５２  フライカッター
４５３  ツーカッターツールホルダー
４５５  第１のカッター
４５６  第２のカッター
４６０  導光フィルムスタック
５２６  光散乱構成要素
７２  三傾斜多面フィーチャ
７２１ａ、７２１ｂ  第１の傾斜角アルファ（α）を有する傾斜面
７２２ａ、７２２ｂ  第２の傾斜角ベータ（β）を有する傾斜面
７２３ａ、７２３ｂ  第３の傾斜角オメガ（ω）を有する傾斜面
７２４  平坦面
７３１ａ、７３１ｂ、７３２ａ、７３２ｂ、７３３ａ、７３３ｂ、７３４  円錐
７５１  第１のカッター
７５２  第２のカッター
７５３  第３のカッター
７５４  ツールホルダー
８２  四傾斜フィーチャ
８２１ａ、８２１ｂ  第１の傾斜角アルファ（α）を有する傾斜面
８２２ａ、８２２ｂ  第２の傾斜角ベータ（β）を有する傾斜面
８２３ａ、８２３ｂ  第３の傾斜角ガンマ（γ）を有する傾斜面
８２４ａ、８２４ｂ  第４の傾斜角オメガ（ω）を有する傾斜面
８２５  平坦面
８３１ａ、８３１ｂ、８３２ａ、８３２ｂ、８３３ａ、８３３ｂ、８３４ａ、８３４ｂ、８３５  円錐
【図１】
2013089597.tif 000003
【図２】
2013089597.tif 000004
【図３Ａ】
2013089597.tif 000005
【図３Ｂ】
2013089597.tif 000006
【図３Ｃ】
2013089597.tif 000007
【図４Ａ】
2013089597.tif 000008
【図４Ｂ】
2013089597.tif 000009
【図４Ｃ】
2013089597.tif 000010
【図４Ｄ】
2013089597.tif 000011
【図５Ａ】
2013089597.tif 000012
【図５Ｂ】
2013089597.tif 000013
【図６Ａ】
2013089597.tif 000014
【図６Ｂ】
2013089597.tif 000015
【図６Ｃ】
2013089597.tif 000016
【図６Ｄ】
2013089597.tif 000017
【図６Ｅ】
2013089597.tif 000018
【図６Ｆ】
2013089597.tif 000019
【図６Ｇ】
2013089597.tif 000020
【図６Ｈ】
2013089597.tif 000021
【図６Ｊ】
2013089597.tif 000022
【図６Ｋ】
2013089597.tif 000023
【図６Ｌ】
2013089597.tif 000024
【図６Ｍ】
2013089597.tif 000025
【図７】
2013089597.tif 000026
【図８Ａ】
2013089597.tif 000027
【図８Ｂ】
2013089597.tif 000028
【図８Ｃ】
2013089597.tif 000029
【図９Ａ】
2013089597.tif 000030
【図９Ｂ】
2013089597.tif 000031
【図９Ｃ】
2013089597.tif 000032
【図１０】
2013089597.tif 000033
【外国語明細書】
2013089597000001.pdf
2013089597000002.pdf
2013089597000003.pdf
2013089597000004.pdf